(57)【要約】【解決手段】砂採取機本体１においては水槽２内のベルトコンベヤ３で水槽２に流入した原水Ａからベルトコンベヤ３上に沈澱した沈澱砂Ｓをベルトコンベヤ３の排出口８で水槽２から搬出する。オーバーフロータンク１０は、沈澱砂Ｓが沈澱して残った残留原水Ｂが供給されるメインタンク１４と、メインタンク１４内の残留原水Ｂで浮遊する浮遊物Ｃを分離するオーバーフロー路１６と、メインタンク１４から一次処理原水Ｄを排出する排出管１８とを有する。負圧サイクロン１１は、オーバーフロータンク１０の排出管１８から一次処理原水Ｄが供給されるメインタンク２０と、メインタンク２０内の一次処理原水Ｄで浮遊する浮遊物Ｆを分離するサイホン管２５と、メインタンク２０内の一次処理原水Ｄから回収砂Ｅを回収する排出管２３とを有する。【効果】沈澱砂Ｓに混ぜるための回収砂Ｅから浮遊カーボン類などの浮遊物Ｃ，Ｆを除去して良好な製品砂ＳＥを採取する。【選択図】図１
2005256334.tif 000002
【特許請求の範囲】
【請求項１】
水槽内にベルトコンベヤを傾斜させて下方より上方にわたり配設し、このベルトコンベヤの下端側で水槽に流入した原水からベルトコンベヤ上に沈澱した沈澱砂をベルトコンベヤの上端側の排出口で水槽から搬出するようにした砂採取機において、前記水槽で沈澱砂が沈澱して残った残留原水から浮遊カーボン類を分離して回収された回収砂を前記ベルトコンベヤの排出口で前記沈澱砂に供給する分級装置を備えたことを特徴とする分級装置付き砂採取機。
【請求項２】
水槽内にベルトコンベヤを傾斜させて下方より上方にわたり配設し、このベルトコンベヤの下端側で水槽に流入した原水からベルトコンベヤ上に沈澱した沈澱砂をベルトコンベヤの上端側の排出口で水槽から搬出するようにした砂採取機において、前記水槽で沈澱砂が沈澱して残った残留原水が供給されてその残留原水で浮遊する浮遊カーボン類を分離する一次分級装置と、この一次分級装置で浮遊カーボン類が分離されて残った一次処理原水が供給されてその一次処理原水で浮遊する浮遊カーボン類を分離して一次処理原水から回収砂を回収する二次分級装置とを備えたことを特徴とする分級装置付き砂採取機。
【請求項３】
水槽内にベルトコンベヤを傾斜させて下方より上方にわたり配設し、このベルトコンベヤの下端側で水槽に流入した原水からベルトコンベヤ上に沈澱した沈澱砂をベルトコンベヤの上端側の排出口で水槽から搬出するようにした砂採取機において、
前記水槽で沈澱砂が沈澱して残った残留原水が供給されるメインタンクと、このメインタンク内の残留原水で浮遊する浮遊物を分離するオーバーフロー路と、このメインタンクから一次処理原水を排出する排出路とを有するオーバーフロータンクと、
このオーバーフロータンクの排出路から一次処理原水が供給されるメインタンクと、このメインタンク内の一次処理原水で浮遊する浮遊物を分離するオーバーフロー路と、このメインタンク内の一次処理原水から回収砂を回収する排出路とを有するサイクロンと
を備えたことを特徴とする分級装置付き砂採取機。
【請求項４】
前記サイクロンのオーバーフロー路は、空気補給調整可能なサイホン管であることを特徴とする請求項３に記載の分級装置付き砂採取機。
【請求項５】
回収された回収砂を前記ベルトコンベヤの排出口で前記沈澱砂に供給することを特徴とする請求項２または請求項３または請求項４に記載の分級装置付き砂採取機。
【請求項６】
被処理原水が供給されるメインタンクと、このメインタンク内の被処理原水で浮遊する浮遊カーボン類を分離するオーバーフロー路と、このメインタンクから一次処理原水を排出する排出路とを有するオーバーフロータンクと、
このオーバーフロータンクの排出路から一次処理原水が供給されるメインタンクと、このメインタンク内の一次処理原水で浮遊する浮遊カーボン類を分離する空気補給調整可能なサイホン管であるオーバーフロー路と、このメインタンク内の一次処理原水から回収砂を回収する排出路とを有するサイクロンと
を備えたことを特徴とする浮遊カーボン類用分級装置。
【発明の詳細な説明】
【技術分野】
【０００１】
本発明は、浮遊カーボン類などの浮遊物を分離するための分級装置を付設した砂採取機、並びに、浮遊カーボン類を分離するための分級装置に関するものである。
【背景技術】
【０００２】
下記特許文献１にかかる砂採取機では、水槽１内にベルトコンベヤ２が傾斜して下方より上方にわたり配設され、このベルトコンベヤ２の下端側で水槽１に流入された原水からベルトコンベヤ２上に沈澱した沈澱砂Ｓがベルトコンベヤ２の上端側の排出口で水槽１から製品砂として搬出される。この製品砂は例えばコンクリート打設時に利用される。
【特許文献１】特開２０００−０３７６３７号公報
【発明の開示】
【発明が解決しようとする課題】
【０００３】
しかし、前記製品砂（沈澱砂Ｓ）が粗いと、コンクリート打設時に振動を付与した際に流動性が悪くなって巣が生じ易くなり、特に高流動コンクリートにおいては材料の分離現象を招き、強度低下の原因になる。そのため、一般にこの沈澱砂Ｓに回収砂を混ぜて前記製品砂としている。前記水槽１で沈澱砂Ｓが沈澱して残った残留原水からこの回収砂を回収すると有効ではあるが、その残留原水には浮遊カーボン類などの浮遊物が浮遊していることが多く、その浮遊物の色が回収砂に付着して打設コンクリートに残る現象が、特に高流動コンクリートで多く見られた。
【０００４】
この発明は、例えば沈澱砂に混ぜるための回収砂から浮遊カーボン類などの浮遊物を除去して良好な製品砂を採取することを目的としている。また、その沈澱砂にその回収砂を混ぜるための作業を効率良く行うことを目的としている。
【課題を解決するための手段】
【０００５】
後記実施形態の図面（図１）の符号を援用して本発明を説明する。
請求項１の発明に係る分級装置付き砂採取機は下記のように構成されている。
この砂採取機の本体（１）においては、水槽（２）内にベルトコンベヤ（３）を傾斜させて下方より上方にわたり配設し、このベルトコンベヤ（３）の下端側で水槽（２）に流入した原水（Ａ）からベルトコンベヤ（３）上に沈澱した沈澱砂（Ｓ）をベルトコンベヤ（３）の上端側の排出口（８）で水槽（２）から搬出する。前記水槽（２）で沈澱砂（Ｓ）が沈澱して残った残留原水（Ｂ）から浮遊カーボン類（Ｃ，Ｆ）を分離して回収された回収砂（Ｅ）を前記ベルトコンベヤ（３）の排出口（８）で前記沈澱砂（Ｓ）に供給する分級装置（９）を備えている。ちなみに、この浮遊カーボン類（Ｃ，Ｆ）とは、少なくとも微細カーボンを主体として含むものである。
【０００６】
請求項１の発明では、砂採取機において浮遊カーボン類（Ｃ，Ｆ）の付着の少ない回収砂（Ｅ）を分級装置（９）により残留原水（Ｂ）から分離して回収することができる。また、その回収砂（Ｅ）をベルトコンベヤ（３）の排出口（８）で沈澱砂（Ｓ）に対し自動的に混ぜるので、作業効率を向上させることができる。
【０００７】
請求項２の発明に係る分級装置付き砂採取機は下記のように構成されている。
この砂採取機の本体（１）においては、水槽（２）内にベルトコンベヤ（３）を傾斜させて下方より上方にわたり配設し、このベルトコンベヤ（３）の下端側で水槽（２）に流入した原水（Ａ）からベルトコンベヤ（３）上に沈澱した沈澱砂（Ｓ）をベルトコンベヤ（３）の上端側の排出口（８）で水槽（２）から搬出する。前記水槽（２）で沈澱砂（Ｓ）が沈澱して残った残留原水（Ｂ）が供給されてその残留原水（Ｂ）で浮遊する浮遊カーボン類（Ｃ）を分離する一次分級装置（１０）と、この一次分級装置（１０）で浮遊カーボン類（Ｃ）が分離されて残った一次処理原水（Ｄ）が供給されてその一次処理原水（Ｄ）で浮遊する浮遊カーボン類（Ｆ）を分離して一次処理原水（Ｄ）から回収砂（Ｅ）を回収する二次分級装置（１１）とを備えている。
【０００８】
請求項２の発明では、砂採取機において一次分級装置（１０）と二次分級装置（１１）とに分けて残留原水（Ｂ）から回収砂（Ｅ）を分離して回収するので、その回収砂（Ｅ）から浮遊カーボン類（Ｃ，Ｆ）を確実に除去することができる。ちなみに、請求項５の発明のように回収砂（Ｅ）をベルトコンベヤ（３）の排出口（８）で沈澱砂（Ｓ）に対し自動的に混ぜてもよいし、沈澱砂（Ｓ）と回収砂（Ｅ）とを別々に回収してこの排出口（８）以外の場所で互いに混ぜてもよい。
【０００９】
請求項３の発明に係る分級装置付き砂採取機は下記のように構成されている。
この砂採取機の本体（１）においては、水槽（２）内にベルトコンベヤ（３）を傾斜させて下方より上方にわたり配設し、このベルトコンベヤ（３）の下端側で水槽（２）に流入した原水（Ａ）からベルトコンベヤ（３）上に沈澱した沈澱砂（Ｓ）をベルトコンベヤ（３）の上端側の排出口（８）で水槽（２）から搬出する。この本体（１）に対し下記のオーバーフロータンク（１０）とサイクロン（１１）とを付設している。このオーバーフロータンク（１０）においては、前記水槽（２）で沈澱砂（Ｓ）が沈澱して残った残留原水（Ｂ）が供給されるメインタンク（１４）と、このメインタンク（１４）内の残留原水（Ｂ）で浮遊する浮遊物（Ｃ）を分離するオーバーフロー路（１６）と、このメインタンク（１４）から一次処理原水（Ｄ）を排出する排出路（１８）とを有している。このサイクロン（１１）においては、このオーバーフロータンク（１０）の排出路（１８）から一次処理原水（Ｄ）が供給されるメインタンク（２０）と、このメインタンク（２０）内の一次処理原水（Ｄ）で浮遊する浮遊物（Ｆ）を分離するオーバーフロー路（２５）と、このメインタンク（２０）内の一次処理原水（Ｄ）から回収砂（Ｅ）を回収する排出路（２３）とを有している。
【００１０】
請求項３の発明では、砂採取機においてオーバーフロータンク（１０）とサイクロン（１１）とに分けて残留原水（Ｂ）から回収砂（Ｅ）を分離して回収するので、その回収砂（Ｅ）から浮遊物（Ｃ，Ｆ）を確実に除去することができる。ちなみに、請求項５の発明のように回収砂（Ｅ）をベルトコンベヤ（３）の排出口（８）で沈澱砂（Ｓ）に対し自動的に混ぜてもよいし、沈澱砂（Ｓ）と回収砂（Ｅ）とを別々に回収してこの排出口（８）以外の場所で互いに混ぜてもよい。
【００１１】
請求項３の発明を前提とする請求項４の発明においては、前記サイクロン（１１）のオーバーフロー路は、空気補給調整可能なサイホン管（２５）である。請求項４の発明では、空気補給調整可能なサイホン管（２５）を有するサイクロン（１１）により、回収砂（Ｅ）から浮遊物（Ｃ，Ｆ）を確実に除去することができる。
【００１２】
請求項２または請求項３または請求項４の発明を前提とする請求項５の発明においては、回収された回収砂（Ｅ）を前記ベルトコンベヤ（３）の排出口（８）で前記沈澱砂（Ｓ）に供給する。請求項５の発明では、その回収砂（Ｅ）をベルトコンベヤ（３）の排出口（８）で沈澱砂（Ｓ）に対し自動的に混ぜるので、作業効率を向上させることができる。
【００１３】
請求項６の発明に係る浮遊カーボン類用分級装置（９）は、下記のオーバーフロータンク（１０）とサイクロン（１１）とを備えている。このオーバーフロータンク（１０）は、被処理原水（Ｂ）が供給されるメインタンク（１４）と、このメインタンク（１４）内の被処理原水（Ｂ）で浮遊する浮遊カーボン類（Ｃ）を分離するオーバーフロー路（１６）と、このメインタンク（１４）から一次処理原水（Ｄ）を排出する排出路（１８）とを有する。このサイクロン（１１）は、このオーバーフロータンク（１０）の排出路（１８）から一次処理原水（Ｄ）が供給されるメインタンク（２０）と、このメインタンク（２０）内の一次処理原水（Ｄ）で浮遊する浮遊カーボン類（Ｆ）を分離する空気補給調整可能なサイホン管（２５）であるオーバーフロー路と、このメインタンク（２０）内の一次処理原水（Ｄ）から回収砂（Ｅ）を回収する排出路（２３）とを有する。
【００１４】
請求項６の発明では、浮遊カーボン類用分級装置（９）において、オーバーフロータンク（１０）と、空気補給調整可能なサイホン管（２５）を有するサイクロン（１１）とに分けて被処理原水（Ｂ）から回収砂（Ｅ）を分離して回収するので、その回収砂（Ｅ）から浮遊カーボン類（Ｃ，Ｆ）を確実に除去することができる。
【発明の効果】
【００１５】
本発明は、例えば沈澱砂（Ｓ）に混ぜるための回収砂（Ｅ）から浮遊カーボン類などの浮遊物（Ｃ，Ｆ）を除去して良好な製品砂（ＳＥ）を採取することができる。また、その沈澱砂（Ｓ）にその回収砂（Ｅ）を混ぜるための作業を効率良く行うことができる。なお、この回収砂（Ｅ）の量だけ排液量を少なくすることができる。
【発明を実施するための最良の形態】
【００１６】
以下、本発明の一実施形態にかかる浮遊カーボン類用分級装置付き砂採取機について図１を参照して説明する。
この砂採取機の本体１において、水槽２内にはベルトコンベヤ３が傾斜して後側下方より前側上方にわたり配設されている。このベルトコンベヤ３においては、下端側ベルト車４と上端側ベルト車５との間に砂搬送ベルト６が巻き掛けられ、この砂搬送ベルト６の上ベルト６ａが水槽２の後下端側から前上端側に向けて砂搬送向きＰ（前向き）へ回転する。この砂搬送ベルト６の上ベルト６ａにおいては、前記両ベルト車４，５の付近を除き、砂搬送向きＰに対し直交する幅方向（前後方向に対し直交する左右方向）でＵ状に湾曲している。このベルトコンベヤ３の後下端側で水槽２に原水供給口７から流入した原水Ａから砂搬送ベルト６の上ベルト６ａに沈殿した沈澱砂Ｓは、ベルトコンベヤ３の前上端側の砂排出口８で砂搬送ベルト６の上ベルト６ａから落下して水槽２から搬出される。
【００１７】
この砂採取機の本体１に付設された浮遊カーボン類用分級装置９はオーバーフロータンク１０（一次分級装置）と負圧サイクロン１１（二次分級装置）とを備えている。
前記オーバーフロータンク１０において、前記水槽２で沈澱砂Ｓが沈澱して残った残留原水Ｂ（被処理原水）は残留原水排出口１２から残留原水供給管１３（供給路）によりメインタンク１４の残留原水供給口１５に供給される。このメインタンク１４内の残留原水Ｂで浮遊する浮遊カーボン類を含む浮遊物Ｃの一部はオーバーフロー路１６から排液として排出されて残留原水Ｂから分離される。この残留原水Ｂから浮遊物Ｃが分離されて残った一次処理原水Ｄはこのメインタンク１４の一次処理原水排出口１７から一次処理原水排出管１８（排出路）へ排出される。
【００１８】
ちなみに、残留原水Ｂについては、粒度範囲が５ｍｍ〜０ｍｍ（主に０．１５ｍｍ〜０ｍｍ）であり、真比重範囲がカーボン類で１．１〜０．１、石粉で２．４〜２．７である。浮遊物Ｃ（カーボン類）については、粒度範囲が０．０７４ｍｍ〜０ｍｍであり、真比重範囲が１．１〜０．１である。一次処理原水Ｄについては、粒度範囲が５ｍｍ〜０ｍｍ（主に０．１５ｍｍ〜０ｍｍ）であり、真比重範囲がカーボン類で１．１〜０．１、石粉で２．４〜２．７である。
【００１９】
前記負圧サイクロン１１において、前記オーバーフロータンク１０の一次処理原水排出管１８へ排出された一次処理原水Ｄはポンプ１９によりメインタンク２０の一次処理原水供給口２１に供給される。このメインタンク２０では、一次処理原水Ｄに遠心力が働いてその一次処理原水Ｄから分離された回収砂Ｅが下降し、メインタンク２０内の真空度に応じて開くアンダーフロー調整弁２２からその回収砂Ｅが回収砂排出管２３（排出路）へ回収される。一方、電磁空気弁やストップバルブ等を含む空気補給調整手段２４により空気補給調整可能なサイホン管２５（オーバーフロー路）では、運転開始前に予め調整されて適度な真空圧になっているため、このメインタンク２０内で最適な分級が行われ、メインタンク２０内の一次処理原水Ｄで浮遊する浮遊カーボン類を含む浮遊物Ｆの一部はサイホン管２５の排出口２６から排液として排出される。また、一次処理原水排出管１８で一定以上の真空圧が発生すると、真空逃し弁２７が開いて充分な空気が流入するため、異常な真空圧の発生を防止する。回収砂排出管２３へ回収された回収砂Ｅは前記砂採取機本体１の砂排出口８で沈澱砂Ｓと混ぜられ、その砂排出口８から製品砂ＳＥが排出される。
【００２０】
ちなみに、浮遊物Ｆについては、粒度範囲が０．１５ｍｍ〜０ｍｍ（主に０．０７５ｍｍ〜０ｍｍ）であり、真比重範囲がカーボン類で１．１〜０．１、石粉で２．４〜２．７である。回収砂Ｅについては、粒度範囲が５ｍｍ〜０ｍｍ（主に０．１５ｍｍ〜０ｍｍ）であり、真比重範囲が２．４〜２．７である。製品砂ＳＥについては、粒度範囲が５ｍｍ〜０ｍｍであり、真比重範囲が２．４〜２．７である。
【図面の簡単な説明】
【００２１】
【図１】本実施形態にかかるシステム図である。
【符号の説明】
【００２２】
１…砂採取機本体、２…水槽、３…ベルトコンベヤ、８…砂排出口、９…浮遊カーボン類用分級装置、１０…オーバーフロータンク（一次分級装置）、１１…負圧サイクロン（二次分級装置）、１４…メインタンク、１６…オーバーフロー路、１８…一次処理原水排出管（排出路）、２０…メインタンク、２３…回収砂排出管（排出路）、２５…サイホン管（オーバーフロー路）、Ａ…原水、Ｂ…残留原水（被処理原水）、Ｃ…浮遊物、Ｄ…一次処理原水、Ｅ…回収砂、Ｆ…浮遊物、Ｓ…沈澱砂、ＳＥ…製品砂。
【図１】
2005256334.tif 000003